(57)【要約】【課題】画像読取装置において、表面と裏面の画像データのデータ転送量が少ないにも拘わらず発生するリソースの負荷の一時的な増加を抑制する。【解決手段】表面用の画像読取ユニット１３は、垂直同期信号ＶＳＹＮＣ＿１をアサートし、垂直同期信号ＶＳＹＮＣ＿１に基づくタイミングで、各Ｎライン分の画像データからＭライン分を間引き、間引き後のライン分の画像データを出力する。裏面用の画像読取ユニット２３は、垂直同期信号ＶＳＹＮＣ＿２をアサートし、垂直同期信号ＶＳＹＮＣ＿２に基づくタイミングで、各Ｎライン分の画像データからＭライン分を間引き、間引き後のライン分の画像データを出力する。そして、画像読取ユニット１３から画像データが出力されていない期間に画像読取ユニット２３から出力される画像データ量が増加するように、垂直同期信号ＶＳＹＮＣ＿２のアサートタイミングを遅延させる。【選択図】  図１
2014045309.tif 000002
【特許請求の範囲】
【請求項１】
原稿の先端が検出されると第１垂直同期信号をアサートする第１タイミング信号生成部と、前記第１垂直同期信号に基づくタイミングで、各Ｎライン分の画像データからＭライン分の画像データを間引き、間引き後の（Ｎ−Ｍ）ライン分の画像データを出力する第１間引き手段とを有する、前記原稿の表面および裏面のうちの一方のための第１画像読取ユニットと、
前記原稿の先端が検出されると第２垂直同期信号をアサートする第２タイミング信号生成部と、前記第２垂直同期信号に基づくタイミングで、各Ｎライン分の画像データからＭライン分の画像データを間引き、間引き後の（Ｎ−Ｍ）ライン分の画像データを出力する第２間引き手段とを有する、前記原稿の表面および裏面のうちの他方のための第２画像読取ユニットとを備え、
前記第２タイミング信号生成部は、前記第１画像読取ユニットから前記（Ｎ−Ｍ）ライン分の画像データが出力されていない期間に前記第２画像読取ユニットから出力される画像データ量が増加するように、前記第２垂直同期信号のアサートタイミングを遅延させること、
を特徴とする画像読取装置。
【請求項２】
前記第２間引き手段には、水平同期信号に同期して１ライン分ずつ画像データが供給され、
前記第２タイミング信号生成部は、（ａ）前記水平同期信号を生成し、（ｂ）前記水平同期信号に基づいて、前記第１垂直同期信号のアサートからの、前記水平同期信号によるライン数をカウントし、（ｃ）前記ライン数に基づいて、前記第２垂直同期信号のアサートタイミングを決定すること、
を特徴とする請求項１記載の画像読取装置。
【請求項３】
前記第１間引き手段には、第１水平同期信号に同期して１ライン分ずつ画像データが供給され、
前記第２間引き手段には、第２水平同期信号に同期して１ライン分ずつ画像データが供給され、
前記第１タイミング信号生成部は、前記第１水平同期信号を生成し、
前記第２タイミング信号生成部は、前記第２水平同期信号を生成し、
前記第１水平同期信号と前記第２水平同期信号は同期していること、
を特徴とする請求項１記載の画像読取装置。
【請求項４】
前記第１間引き手段および前記第２間引き手段は、解像度変換のために前記Ｍラインの画像データを間引くことを特徴とする請求項１記載の画像読取装置。
【請求項５】
バスに接続されたメインメモリーをさらに備え、
前記第１画像読取ユニットおよび前記第２画像読取ユニットは、間引き後の前記（Ｎ−Ｍ）ライン分の画像データを、前記バスを介して前記メインメモリーにそれぞれ出力すること、
を特徴とする請求項１から請求項４のうちのいずれか１項記載の画像読取装置。
【請求項６】
バスに接続されたロッシー圧縮方式の画像圧縮回路をさらに備え、
前記第１間引き手段および前記第２間引き手段は、前記ロッシー圧縮方式で不要な前記Ｍラインの画像データを間引き、
前記第１画像読取ユニットおよび前記第２画像読取ユニットは、間引き後の前記（Ｎ−Ｍ）ライン分の画像データを、前記バスを介して前記画像圧縮回路にそれぞれ出力すること、
を特徴とする請求項１記載の画像読取装置。
【請求項７】
前記ロッシー圧縮方式は、サンプリングファクターが４：２：０であるＪＰＥＧ方式であって、
前記第１間引き手段および前記第２間引き手段は、前記画像データのうちの色データについて、各２ライン分のうち不要な１ライン分の色データを間引き、
前記第１画像読取ユニットおよび前記第２画像読取ユニットは、前記画像圧縮回路に、間引き後の前記１ライン分の色データをそれぞれ出力し、
前記第２タイミング信号生成部は、前記第１画像読取ユニットから前記１ライン分の色データが出力されていない期間に前記第２画像読取ユニットから前記１ライン分の色データが出力されるように、前記第２垂直同期信号を生成すること、
を特徴とする請求項６記載の画像読取装置。
【発明の詳細な説明】
【技術分野】
【０００１】
本発明は、画像読取装置に関するものである。
【背景技術】
【０００２】
原稿の両面を同時に読み取り可能な画像読取装置では、両面を同時に読み取るときに、片面を読み取るときの２倍の画像データが生成され、装置内で転送される。
【０００３】
そのような場合、ある画像読取装置では、画像データの転送レートを２倍とすることで、後段の処理で遅延が生じないようにしている（例えば特許文献１，２参照）。
【先行技術文献】
【特許文献】
【０００４】
【特許文献１】特開２００２−１９９１７０号公報
【特許文献２】特開２００３−３０９７０５号公報
【発明の概要】
【発明が解決しようとする課題】
【０００５】
画像読取装置では、固有の解像度（最大解像度）で生成された画像データが間引かれることがある。例えば、ユーザにより設定された解像度が最大解像度より低い場合には、設定された解像度に応じて、所定割合のライン分の画像データが間引かれる。
【０００６】
例えば、装置の最大解像度が６００ｄｐｉである場合に、設定された解像度が３００ｄｐｉであるとき、２ライン分の画像データのうちの、１ライン分の画像データが間引かれ、間引かれた後の残りの１ライン分の画像データがバスを介してメモリーなどに転送される。このため、間欠的に画像データが転送される。
【０００７】
したがって、原稿両面の画像を並行して読み込む場合、表面の画像データと、裏面の画像データとがそれぞれ間欠的にバスを介してメモリーなどに転送される。
【０００８】
このため、転送すべき画像データ量は少ないものの、表面の画像データが転送される期間において裏面の画像データも転送されると、その期間の、バスやメモリーなどのリソースの負荷が大きくなってしまい、そのリソースを使用した他のデータの転送に支障をきたす可能性がある。
【０００９】
本発明は、上記の問題に鑑みてなされたものであり、表面と裏面の画像データのデータ転送量が少ないにも拘わらず発生するリソースの負荷の一時的な増加を抑制する画像読取装置を得ることを目的とする。
【課題を解決するための手段】
【００１０】
上記の課題を解決するために、本発明では以下のようにした。
【００１１】
本発明に係る画像読取装置は、原稿の表面および裏面のうちの一方のための第１画像読取ユニットと、原稿の表面および裏面のうちの他方のための第２画像読取ユニットとを備える。第１画像読取ユニットは、原稿の先端が検出されると第１垂直同期信号をアサートする第１タイミング信号生成部と、第１垂直同期信号に基づくタイミングで、各Ｎライン分の画像データからＭライン分の画像データを間引き、間引き後の（Ｎ−Ｍ）ライン分の画像データを出力する第１間引き手段とを有する。また、第２画像読取ユニットは、原稿の先端が検出されると第２垂直同期信号をアサートする第２タイミング信号生成部と、第２垂直同期信号に基づくタイミングで、各Ｎライン分の画像データからＭライン分の画像データを間引き、間引き後の（Ｎ−Ｍ）ライン分の画像データを出力する第２間引き手段とを有する。そして、第２タイミング信号生成部は、第１画像読取ユニットから（Ｎ−Ｍ）ライン分の画像データが出力されていない期間に第２画像読取ユニットから出力される画像データ量が増加するように、第２垂直同期信号のアサートタイミングを遅延させる。
【００１２】
これにより、表面の画像データの転送と裏面の画像データの転送とが重なる期間が少なくなり、データ転送量が少ないにも拘わらず発生するリソースの負荷の一時的な増加が抑制される。また、第２垂直同期信号のタイミングを制御することで、第２画像読取ユニットからのデータ出力のタイミングを制御するため、データ出力のタイミングを制御するために画像データを一時的に記憶するバッファーを設ける必要がない。
【００１３】
また、本発明に係る画像読取装置は、上記の画像読取装置に加え、次のようにしてもよい。この場合、第２間引き手段には、水平同期信号に同期して１ライン分ずつ画像データが供給される。そして、第２タイミング信号生成部は、（ａ）水平同期信号を生成し、（ｂ）水平同期信号に基づいて、第１垂直同期信号のアサートからの、水平同期信号によるライン数をカウントし、（ｃ）そのライン数に基づいて、第２垂直同期信号のアサートタイミングを決定する。
【００１４】
また、本発明に係る画像読取装置は、上記の画像読取装置に加え、次のようにしてもよい。この場合、第１間引き手段には、第１水平同期信号に同期して１ライン分ずつ画像データが供給され、第２間引き手段には、第２水平同期信号に同期して１ライン分ずつ画像データが供給される。また、第１タイミング信号生成部は、第１水平同期信号を生成し、第２タイミング信号生成部は、第２水平同期信号を生成する。そして、第１水平同期信号と第２水平同期信号は同期している。
【００１５】
これにより、表面の画像データの転送と裏面の画像データの転送とが重なる期間がより少なくなる。
【００１６】
また、本発明に係る画像読取装置は、上記の画像読取装置に加え、次のようにしてもよい。この場合、第１間引き手段および第２間引き手段は、解像度変換のためにＭラインの画像データを間引く。
【００１７】
また、本発明に係る画像読取装置は、上記の画像読取装置に加え、次のようにしてもよい。この場合、画像読取装置は、バスに接続されたメインメモリーをさらに備える。そして、第１画像読取ユニットおよび第２画像読取ユニットは、間引き後の（Ｎ−Ｍ）ライン分の画像データを、そのバスを介してメインメモリーにそれぞれ出力する。
【００１８】
これにより、バスおよびメインメモリーの負荷の一時的な増加が抑制される。
【００１９】
また、本発明に係る画像読取装置は、上記の画像読取装置に加え、次のようにしてもよい。この場合、画像読取装置は、バスに接続されたロッシー圧縮方式の画像圧縮回路をさらに備える。第１間引き手段および第２間引き手段は、そのロッシー圧縮方式で不要なＭラインの画像データを間引き、第１画像読取ユニットおよび第２画像読取ユニットは、間引き後の（Ｎ−Ｍ）ライン分の画像データを、そのバスを介して画像圧縮回路にそれぞれ出力する。
【００２０】
これにより、表面および裏面の画像データを画像圧縮回路へ転送する際のバスの負荷の一時的な増加が抑制される。
【００２１】
また、本発明に係る画像読取装置は、上記の画像読取装置に加え、次のようにしてもよい。この場合、上述のロッシー圧縮方式は、サンプリングファクターが４：２：０であるＪＰＥＧ方式であり、第１間引き手段および第２間引き手段は、画像データのうちの色データについて、各２ライン分のうち不要な１ライン分の色データを間引き、第１画像読取ユニットおよび第２画像読取ユニットは、画像圧縮回路に、間引き後の１ライン分の色データをそれぞれ出力する。そして、第２タイミング信号生成部は、第１画像読取ユニットから１ライン分の色データが出力されていない期間に第２画像読取ユニットから１ライン分の色データが出力されるように、第２垂直同期信号を生成する。
【発明の効果】
【００２２】
本発明によれば、画像読取装置において、表面と裏面の画像データのデータ転送量が少ないにも拘わらず発生するリソースの負荷の一時的な増加が抑制される。
【図面の簡単な説明】
【００２３】
【図１】図１は、本発明の実施の形態１に係る画像読取装置の構成を示すブロック図である。
【図２】図２は、図１における裏面用の画像読取ユニットにおけるタイミング信号生成部の動作を説明するフローチャートである。
【図３】図３は、解像度を２分の１に変換する場合の、図１における画像読取ユニットの動作を説明するタイミングチャートである。
【図４】図４は、本発明の実施の形態２に係る画像読取装置の構成を示すブロック図である。
【発明を実施するための形態】
【００２４】
以下、図に基づいて本発明の実施の形態を説明する。
【００２５】
実施の形態１．
【００２６】
図１は、本発明の実施の形態１に係る画像読取装置の構成を示すブロック図である。この画像読取装置は、スキャナー、コピー機、ファクシミリ機、複合機などであり、１回の搬送で原稿の両面（表面と裏面）の画像を並行して読み取る。
【００２７】
図１に示す画像読取装置は、原稿の表面の画像を光学的に読み取るラインセンサー１１と、ラインセンサー１１を駆動し原稿表面の画像データを生成する駆動回路１２と、駆動回路１２から画像データを取得しその画像データに対して各種処理を行い、処理後の画像データを出力する画像読取ユニット１３とを有する。
【００２８】
ラインセンサー１１は、１ラインずつ原稿画像を光学的に読み取る。実施の形態１では、ラインセンサー１１は、ＣＣＤ（Charge Coupled Device）方式のラインメモリーである。
【００２９】
また、図１に示す画像読取装置は、原稿の裏面の画像を光学的に読み取るラインセンサー２１と、ラインセンサー２１を駆動し原稿裏面の画像データを生成する駆動回路２２と、駆動回路２２から画像データを取得しその画像データに対して各種処理を行い、処理後の画像データを出力する画像読取ユニット２３とを有する。
【００３０】
ラインセンサー２１は、１ラインずつ原稿画像を光学的に読み取る。実施の形態１では、ラインセンサー２１は、ＣＩＳ（Contact Image Sensor）方式のラインメモリーである。実施の形態１では、裏面用のラインセンサー２１は、原稿の搬送経路において、表面用のラインセンサー１１より下流側に配置されている。
【００３１】
画像読取ユニット１３，２３は、バス３１に接続されており、バス３１を介して画像データを出力する。このバス３１には、さらに、メインメモリー３２、ＣＰＵ（Central Processing Unit）３３、ハードディスクドライブ３４、印刷装置３５、および通信装置３６が接続されている。
【００３２】
つまり、ＣＰＵ３３、ハードディスクドライブ３４、印刷装置３５、および通信装置３６は、バス３１および／またはメインメモリー３２を、画像読取ユニット１３，２３と共用しているデバイスである。これらのデバイスは、画像読取ユニット１３，２３とは非同期にバス３１を介してデータ転送を行うため、画像読取ユニット１３，２３によりバス３１の帯域使用量は、時間軸において平準化されていることが好ましい。
【００３３】
メインメモリー３２は、ＤＲＡＭ（Dynamic Random Access Memory）などの揮発性メモリーである。
【００３４】
ＣＰＵ３３は、ハードディスクドライブ３４やバス３１に接続された図示せぬＲＯＭからプログラムをメインメモリー３２にロードし、そのプログラムを実行して各種処理を実行する。例えば、ＣＰＵ３３は、メインメモリー３２をワークメモリーとして使用して、色変換、スクリーン処理などの、印刷用画像データを生成するための処理を実行する。その際、ＣＰＵ３３は、バス３１を介してメインメモリー３２にアクセスする。
【００３５】
ハードディスクドライブ３４は、バス３１を介して供給される画像データを記憶する不揮発性の記憶装置である。
【００３６】
印刷装置３５は、バス３１を介して供給される印刷用画像データに基づく画像を印刷用紙に印刷する。
【００３７】
通信装置３６は、ネットワークインターフェイス、周辺機器インターフェイスなどであり、バス３１を介して供給される画像データを外部の装置に送信する。
【００３８】
ここで、画像読取ユニット１３，２３の構成について説明する。
【００３９】
画像読取ユニット１３は、タイミング信号生成部４１、データ読取部４２、画像処理部４３、解像度変換部４４、およびダイレクトメモリーアクセスコントローラー（ＤＭＡＣ）４５を有する。
【００４０】
タイミング信号生成部４１は、画像読取ユニット１３用の垂直同期信号ＶＳＹＮＣ＿１と水平同期信号ＨＳＹＮＣ＿１を生成する。タイミング信号生成部４１は、所定の周期で周期的にパルス状の水平同期信号ＨＳＹＮＣ＿１を出力し、原稿先端が検出されると、水平同期信号ＨＳＹＮＣ＿１に合わせて垂直同期信号ＶＳＹＮＣ＿１をアサートする。この垂直同期信号ＶＳＹＮＣ＿１および水平同期信号ＨＳＹＮＣ＿１は、データ読取部４２に供給される。また、この垂直同期信号ＶＳＹＮＣ＿１は、画像読取ユニット２３のタイミング信号生成部５１に供給される。
【００４１】
データ読取部４２は、垂直同期信号ＶＳＹＮＣ＿１がアサートされると、水平同期信号ＨＳＹＮＣ＿１に同期して繰り返し駆動回路１２から１ライン分の画像データを取得し、画像処理部４３に出力する。
【００４２】
画像処理部４３は、データ読取部４２からの画像データに対して、所定の画像処理（シェーディング補正など）を施し、画像処理後の画像データを解像度変換部４４に出力する。したがって、解像度変換部４４には、水平同期信号ＨＳＹＮＣ＿１に同期して１ライン分ずつ画像データが供給される。
【００４３】
解像度変換部４４は、ユーザ操作などによる設定により指定された解像度に、画像処理部４３からの画像データの解像度を変換し、変換後の画像データを、ＤＭＡＣ４５でメインメモリー３２に出力する。
【００４４】
具体的には、解像度変換部４４は、画像処理部４３からの画像データの解像度を、Ｎ分の（Ｎ−Ｍ）に低くする場合（Ｎ＞Ｍ、Ｎ，Ｍは整数）、垂直同期信号ＶＳＹＮＣ＿１に基づくタイミングで、各Ｎライン分の画像データからＭライン分の画像データを間引き、間引き後の（Ｎ−Ｍ）ライン分の画像データを出力する。
【００４５】
ＤＭＡＣ４５は、バス３１に接続されたデバイス（メインメモリー３２など）に対してデータを転送する回路である。
【００４６】
これにより、水平同期信号ＨＳＹＮＣ＿１に同期して、原稿表面の処理後の画像データがバス３１を介してメインメモリー３２に転送される。
【００４７】
また、画像読取ユニット２３は、タイミング信号生成部５１、データ読取部５２、画像処理部５３、解像度変換部５４、およびＤＭＡＣ５５を有する。
【００４８】
タイミング信号生成部５１は、画像読取ユニット２３用の垂直同期信号ＶＳＹＮＣ＿２と水平同期信号ＨＳＹＮＣ＿２を生成する。タイミング信号生成部５１は、所定の周期で周期的にパルス状の水平同期信号ＨＳＹＮＣ＿２を出力し、原稿先端が検出されると、水平同期信号ＨＳＹＮＣ＿２に合わせて垂直同期信号ＶＳＹＮＣ＿２をアサートする。この垂直同期信号ＶＳＹＮＣ＿２および水平同期信号ＨＳＹＮＣ＿２は、データ読取部５２に供給される。
【００４９】
なお、実施の形態１では、水平同期信号ＨＳＹＮＣ＿１と水平同期信号ＨＳＹＮＣ＿２は、同一の周期を有している。また、水平同期信号ＨＳＹＮＣ＿１と水平同期信号ＨＳＹＮＣ＿２は、同期している。したがって、水平同期信号ＨＳＹＮＣ＿１をタイミング信号生成部４１からタイミング信号生成部５１へ供給し、水平同期信号ＨＳＹＮＣ＿２として使用するようにしてもよい。
【００５０】
タイミング信号生成部５１は、画像読取ユニット１３から（Ｎ−Ｍ）ライン分の画像データがバス３１を介して出力されていない期間に画像読取ユニット２３からバス３１を介して出力される画像データ量が増加するように、垂直同期信号ＶＳＹＮＣ＿２のアサートタイミングを遅延させる。
【００５１】
実施の形態１では、タイミング信号生成部５１は、画像読取ユニット１３から（Ｎ−Ｍ）ライン分の画像データが出力されていない期間に、画像読取ユニット２３から、（Ｎ−Ｍ）ライン分のうちの少なくとも１ライン分の画像データが出力されるように、垂直同期信号ＶＳＹＮＣ＿２を生成する。
【００５２】
実施の形態１では、タイミング信号生成部５１は、水平同期信号ＨＳＹＮＣ＿２に基づいて、垂直同期信号ＶＳＹＮＣ＿１のアサートからの、水平同期信号ＨＳＹＮＣ＿２によるライン数をカウントし、そのライン数に基づいて、垂直同期信号ＶＳＹＮＣ＿２のアサートのタイミングを決定する。
【００５３】
データ読取部５２は、垂直同期信号ＶＳＹＮＣ＿２がアサートされると、水平同期信号ＨＳＹＮＣ＿２に同期して繰り返し駆動回路２２から１ライン分の画像データを取得し、画像処理部５３に出力する。
【００５４】
画像処理部５３は、データ読取部５２からの画像データに対して、所定の画像処理（シェーディング補正など）を施し、画像処理後の画像データを解像度変換部５４に出力する。したがって、解像度変換部５４には、水平同期信号ＨＳＹＮＣ＿２に同期して１ライン分ずつ画像データが供給される。
【００５５】
解像度変換部５４は、ユーザ操作などによる設定により指定された解像度に、画像処理部５３からの画像データの解像度を変換し、変換後の画像データを、ＤＭＡＣ５５でメインメモリー３２に出力する。
【００５６】
具体的には、解像度変換部５４は、画像処理部５３からの画像データの解像度を、Ｎ分の（Ｎ−Ｍ）に低くする場合（Ｎ＞Ｍ、Ｎ，Ｍは整数）、垂直同期信号ＶＳＹＮＣ＿２に基づくタイミングで、各Ｎライン分の画像データからＭライン分の画像データを間引き、間引き後の（Ｎ−Ｍ）ライン分の画像データを出力する。
【００５７】
ＤＭＡＣ５５は、バス３１に接続されたデバイス（メインメモリー３２など）に対してデータを転送する回路である。
【００５８】
これにより、タイミング信号生成部５１により生成された水平同期信号ＨＳＹＮＣ＿２に同期して、原稿裏面の処理後の画像データがバス３１を介してメインメモリー３２に転送される。その際、主に、画像読取ユニット１３から画像データが出力されていない期間に画像読取ユニット１３から画像データが出力され、画像読取ユニット１３から画像データが出力されている期間には画像読取ユニット２３から画像データが出力されないようにしている。
【００５９】
次に、上記画像読取装置の動作について説明する。
【００６０】
図２は、図１における裏面用の画像読取ユニット２３におけるタイミング信号生成部５１の動作を説明するフローチャートである。図３は、解像度を２分の１に変換する場合の、図１における画像読取ユニット１３，２３の動作を説明するタイミングチャートである。
【００６１】
画像読取ユニット１３では、垂直同期信号ＶＳＹＮＣ＿１がアサートすると、垂直同期信号ＨＳＹＮＣ＿１に同期して、データ読取部４２が、１ライン分の画像データを取得し、画像処理部４３が、その画像データに対して画像処理を施し、画像処理後の画像データを解像度変換部４４に出力する。解像度変換部４４は、設定により指定された解像度変換率（Ｎ−Ｍ）／Ｎに基づき、そのラインの画像データを間引くか否かを判定し、そのラインの画像データを間引くと判定した場合には、そのラインの画像データを破棄し、そのラインの画像データを間引かないと判定した場合には、そのラインの画像データをＤＭＡＣ４５でバス３１を介してメインメモリー３２に出力する。
【００６２】
例えば図３に示すように、解像度変換率（Ｎ−Ｍ）／Ｎが１／２である場合、解像度変換部４４は、１ライン置きに、１ライン分の処理後の画像データＤＡＴＡ＿１を出力する。
【００６３】
一方、画像読取ユニット２３では、図２に示すように、タイミング信号生成部５１は、まず、解像度変換が設定されているか否かを判定し（ステップＳ１）、解像度変換が設定されている場合、画像読取ユニット１３の垂直同期信号ＶＳＹＮＣ＿１を監視し（ステップＳ２）、垂直同期信号ＶＳＹＮＣ＿１がアサートされると（図３における時刻Ｔｖ１）、水平同期信号ＨＳＹＮＣ＿２のカウントを開始する（ステップＳ３）。
【００６４】
そして、タイミング信号生成部５１は、垂直同期信号ＶＳＹＮＣ＿２のデフォルトのアサートタイミング（図３における時刻Ｔｄ１または時刻Ｔｄ２）になると（ステップＳ４）、水平同期信号ＨＳＹＮＣ＿２のカウントを終了し（ステップＳ５）、水平同期信号ＨＳＹＮＣ＿２のカウント数に基づいて、垂直同期信号ＶＳＹＮＣ＿２のアサートタイミングを、デフォルトのタイミングから遅延させるか否かを判定する（ステップＳ６）。なお、デフォルトのアサートタイミングは、原稿先端が検出されるタイミングに依存して変換する。
【００６５】
垂直同期信号ＶＳＹＮＣ＿２のアサートタイミングを、デフォルトのタイミングからずらさないと判定した場合（図３における時刻Ｔｄ１の場合）、タイミング信号生成部５１は、ただちに垂直同期信号ＶＳＹＮＣ＿２をアサートする（ステップＳ７）。
【００６６】
一方、垂直同期信号ＶＳＹＮＣ＿２のアサートタイミングを、デフォルトのタイミングから遅延させると判定した場合（図３における時刻Ｔｄ２の場合）、タイミング信号生成部５１は、垂直同期信号ＶＳＹＮＣ＿２のアサートタイミングを１ライン分遅延させる（ステップＳ８）。
【００６７】
例えば、解像度変換率（Ｎ−Ｍ）／Ｎが１／２である場合、タイミング信号生成部５１は、カウント数が偶数であるときには、水平同期信号ＨＳＹＮＣ＿２の１周期分（つまり、１ライン分）、垂直同期信号ＶＳＹＮＣ＿２のアサートタイミングを遅延させ、カウント数が奇数であるときには、垂直同期信号ＶＳＹＮＣ＿２をただちにアサートする。これにより、図３に示すように、画像読取ユニット１３から１ライン分の処理後の画像データＤＡＴＡ＿１が出力されていない期間において、１ライン分の処理後の画像データＤＡＴＡ＿２がバス３１を介してメインメモリー３２に出力される。
【００６８】
なお、解像度変換が設定されていない場合（ステップＳ１）、垂直同期信号ＶＳＹＮＣ＿２のアサートのデフォルトタイミング（ステップＳ９）で、垂直同期信号ＶＳＹＮＣ＿２がアサートされる（ステップＳ１０）。
【００６９】
以上のように、上記実施の形態１に係る画像読取装置は、原稿の表面および裏面のうちの一方のための画像読取ユニット１３と、他方のための画像読取ユニット２３とを備える。
【００７０】
画像読取ユニット１３では、タイミング信号生成部４１は、原稿の先端が検出されると垂直同期信号ＶＳＹＮＣ＿１をアサートし、解像度変換部４４は、垂直同期信号ＶＳＹＮＣ＿１に基づくタイミングで、各Ｎライン分の画像データからＭライン分の画像データを間引き、間引き後の（Ｎ−Ｍ）ライン分の画像データを出力する。
【００７１】
画像読取ユニット２３では、タイミング信号生成部５１は、原稿の先端が検出されると垂直同期信号ＶＳＹＮＣ＿２をアサートし、解像度変換部５４は、垂直同期信号ＶＳＹＮＣ＿２に基づくタイミングで、各Ｎライン分の画像データからＭライン分の画像データを間引き、間引き後の（Ｎ−Ｍ）ライン分の画像データを出力する。
【００７２】
そして、タイミング信号生成部５１は、画像読取ユニット１３から（Ｎ−Ｍ）ライン分の画像データが出力されていない期間に画像読取ユニット２３から出力される画像データ量が増加するように、垂直同期信号ＶＳＹＮＣ＿２のアサートタイミングを遅延させる。
【００７３】
これにより、表面の画像データの転送と裏面の画像データの転送とが重なる期間が少なくなり、データ転送量が少ないにも拘わらず発生するリソースの負荷の一時的な増加が抑制される。また、垂直同期信号ＶＳＹＮＣ＿２のアサートタイミングを制御することで、画像読取ユニット２３からのデータ出力のタイミングを制御するため、データ出力のタイミングを制御するために画像データを一時的に記憶するバッファーを設ける必要がない。
【００７４】
さらに、実施の形態１では、解像度変換部４４，５４は、解像度変換のためにＭラインの画像データを間引き、間引き後の（Ｎ−Ｍ）ライン分の画像データを、バス３１を介してメインメモリー３２にそれぞれ出力する。したがって、実施の形態１では、バス３１およびメインメモリー３２の負荷の一時的な増加が抑制される。
【００７５】
実施の形態２．
【００７６】
本発明の実施の形態２に係る画像読取装置では、表面用の画像読取ユニットおよび裏面用の画像読取ユニットからバスを介して、ロッシー（Lossy）圧縮方式の画像圧縮回路へ、そのロッシー圧縮方式で不要なラインの画像データを間引いた後の画像データが転送される。
【００７７】
図４は、本発明の実施の形態２に係る画像読取装置の構成を示すブロック図である。
【００７８】
実施の形態２では、画像圧縮回路７１が、バス３１に接続されており、バス３１を介して供給される間引き済みの画像データをそのロッシー圧縮方式を圧縮する。画像圧縮回路７１は、互いに独立して、ロッシー圧縮方式で表面の画像データと裏面の画像データを圧縮する。実施の形態２では、このロッシー圧縮方式は、サンプリングファクターが４：２：０であるＪＰＥＧ方式である。
【００７９】
また、実施の形態２に係る画像読取装置は、表面用の画像読取ユニット１３ａと、裏面用の画像読取ユニット２３ａとを有する。
【００８０】
画像読取ユニット１３ａは、画像読取ユニット１３と同様の構成要素を有するとともに、解像度変換部４４の後段に、そのロッシー圧縮方式で不要なＭラインの画像データを間引くライン間引き部８１を有する。ライン間引き部８１は、間引き後の画像データをＤＭＡＣ４５で画像圧縮回路７１に出力する。
【００８１】
また、画像読取ユニット２３ａは、画像読取ユニット２３と同様の構成要素を有するとともに、解像度変換部５４の後段に、そのロッシー圧縮方式で不要なＭラインの画像データを間引くライン間引き部９１を有する。ライン間引き部９１は、間引き後の画像データをＤＭＡＣ５５で画像圧縮回路７１に出力する。
【００８２】
サンプリングファクターが４：２：０であるＪＰＥＧ方式では、１ライン分の色データ（ＹＵＶデータのうちのＵデータとＶデータ）が１ライン置きに間引かれる。実施の形態２では、画像読取ユニット１３ａ，２３ａにおいてライン間引き部８１，９１により、１ライン分の色データが１ライン置きに間引かれ、１ライン置きに１ライン分の色データが、画像圧縮回路７１へ転送される。
【００８３】
タイミング信号生成部５１ａは、タイミング信号生成部５１と同様に、水平同期信号ＨＳＹＮＣ＿２と垂直同期信号ＶＳＹＮＣ＿２を生成する。ただし、タイミング信号生成部５１ａは、画像読取ユニット１３ａから１ライン分の色データが出力されていない期間に画像読取ユニット２３ａから１ライン分の色データが出力されるように、垂直同期信号ＶＳＹＮＣ＿２を生成する。
【００８４】
なお、実施の形態２に係る画像読取装置のその他の構成および動作については実施の形態１のものと同様であるので、その説明を省略する。
【００８５】
以上のように、上記実施の形態２に係る画像読取装置は、バス３１に接続されたロッシー圧縮方式の画像圧縮回路７１を備える。そして、ライン間引き部８１，９１は、そのロッシー圧縮方式で不要なＭラインの画像データを間引き、画像読取ユニット１３ａ，２３ａは、間引き後の（Ｎ−Ｍ）ライン分の画像データを、バス３１を介して画像圧縮回路７１にそれぞれ出力する。
【００８６】
したがって、実施の形態２では、表面および裏面の画像データを画像圧縮回路７１へ転送する際のバス３１の負荷の一時的な増加が抑制される。
【００８７】
なお、上述の各実施の形態は、本発明の好適な例であるが、本発明は、これらに限定されるものではなく、本発明の要旨を逸脱しない範囲において、種々の変形、変更が可能である。
【００８８】
例えば、上記の各実施の形態では、表面のラインセンサー１１が裏面のラインセンサー２１より原稿の搬送経路の上流側に配置されており、表面の垂直同期信号ＶＳＹＮＣ＿１が裏面の垂直同期信号ＶＳＹＮＣ＿２より早くアサートされる。上記の各実施の形態において、裏面のラインセンサーが表面のラインセンサーより原稿の搬送経路の上流側に配置されており、裏面の垂直同期信号ＶＳＹＮＣが表面の垂直同期信号ＶＳＹＮＣより早くアサートされるように構成されている場合、同様にして、裏面の画像読取ユニットから（Ｎ−Ｍ）ライン分の画像データが出力されていない期間に表面の画像読取ユニットから出力される画像データ量が増加するように、表面の垂直同期信号ＶＳＹＮＣのアサートタイミングを遅延させる。
【００８９】
また、上記の各実施の形態では、解像度を２分の１にする例を示しているが、３分の１、６分の１などの解像度変換率でも同様に処理可能である。
【産業上の利用可能性】
【００９０】
本発明は、例えば、原稿の両面の画像を並行して読み取る画像読取装置に適用可能である。
【符号の説明】
【００９１】
１３  画像読取ユニット（第１画像読取ユニットの一例）
２３  画像読取ユニット（第２画像読取ユニットの一例）
３１  バス
３２  メインメモリー
４１  タイミング信号生成部（第１タイミング信号生成部の一例）
４４  解像度変換部（第１間引き手段の一例）
５１，５１ａ  タイミング信号生成部（第２タイミング信号生成部の一例）
５４  解像度変換部（第２間引き手段の一例）
７１  画像圧縮回路
８１  ライン間引き部（第１間引き手段の一例）
９１  ライン間引き部（第２間引き手段の一例）
【図１】
2014045309.tif 000003
【図２】
2014045309.tif 000004
【図３】
2014045309.tif 000005
【図４】
2014045309.tif 000006